(57)【要約】【課題】  ビットストリームに含まれるリピートフィールドを優先して間引き処理することにより、ビットストリームから復号された映像の画質低下を抑制することが可能な映像復号化装置を提供する。【解決手段】  フレーム変換により生成されたビットストリームからリピートフィールドを除いて表示フィールド数を計算し、ビットストリームをデコードするデコード部２０と、デコードによって得られた複数の画像のうちからリピートフィールドを除いて表示画像を選択し、その選択された表示画像を画像信号として出力する表示画像選択部４０とを備える。【選択図】      図１
2006339857.tif 000002
【特許請求の範囲】
【請求項１】
フレーム変換により生成されたビットストリームからリピートフィールドを除いて表示フィールド数を計算し、前記ビットストリームをデコードするデコード部と、
前記デコードによって得られた複数の画像のうちから前記リピートフィールドを除いて表示画像を選択し、該選択された表示画像を画像信号として出力する表示画像選択部
とを備えることを特徴とする復号化装置。
【請求項２】
前記デコード部は、前記リピートフィールドの出力を指定するリピートファーストフィールドフラグを無効にして前記表示フィールド数を計算することを特徴とする請求項１に記載の復号化装置。
【請求項３】
前記デコード部は、前記画像信号の形式に対応した同期信号に同期して前記デコードを行うことを特徴とする請求項１又は２に記載の復号化装置。
【請求項４】
前記ビットストリームがＮＴＳＣ形式の信号であり、前記画像信号がパル形式の信号であることを特徴とする請求項１乃至３のいずれか１項に記載の復号化装置。
【請求項５】
前記ビットストリームに前記リピートフィールドが含まれない場合に、前記ビットストリームのピクチャタイプに基づき、前記表示画像選択部が表示画像を選択することを特徴とする請求項１乃至４のいずれか１項に記載の復号化装置。
【発明の詳細な説明】
【技術分野】
【０００１】
本発明は、復号化装置に係り、特にＭＰＥＧ２ビデオストリームをデコードする復号化装置に関する。
【背景技術】
【０００２】
モーション・ピクチャ・エキスパーツ・グループ２（ＭＰＥＧ２）ビデオストリームのデコーダは、例えば、入力されたＮＴＳＣ形式の信号（以下において、「ＮＴＳＣ信号」という。）をパル（ＰＡＬ）形式の信号（以下において、「ＰＡＬ信号」という。）に変換して出力する場合や、早送り再生を行う場合に間引き処理を行う（例えば、特許文献１参照。）。ここで「間引き処理」とは、デコーダに入力された信号の一部を表示しない処理である。
【０００３】
ところで、ビデオストリーム等のコンテンツ信号をＮＴＳＣ信号に変換するときに、コンテンツ信号とＮＴＳＣ信号のフレームレートの違いを調整するために、３：２プルダウン変換等のフレーム変換が行われている場合がある。「３：２プルダウン変換」は、２フィールド分のフレームデータから３フィールドのフレームデータを生成する方法である。３：２プルダウン変換では、ビデオストリームの１つのフレームから同一のフィールドを２度出力することによって、ビデオストリームがＮＴＳＣ信号に変換される。２度出力するフィールドを、以下において「リピートフィールド」という。
【０００４】
３：２プルダウン変換が行われたＮＴＳＣ信号か否かに関わらず、ＭＰＥＧ２ビデオストリームのデコーダは、入力されたＭＰＥＧ２ビデオストリーム等のビットストリームの間引き処理を行う。そのため、表示されなくても映像が劣化しないリピートフィールドが表示される一方、リピートフィールド以外の、間引かれた場合に映像が劣化するフィールドが表示されない場合があるという問題があった。
【特許文献１】特開平５−３２３９２６号公報
【発明の開示】
【発明が解決しようとする課題】
【０００５】
本発明は、ビットストリームに含まれるリピートフィールドを優先して間引き処理することにより、ビットストリームから復号された映像の画質低下を抑制することが可能な映像復号化装置を提供する。
【課題を解決するための手段】
【０００６】
本発明の特徴は、（イ）フレーム変換により生成されたビットストリームからリピートフィールドを除いて表示フィールド数を計算し、ビットストリームをデコードするデコード部と、（ロ）デコードによって得られた複数の画像のうちからリピートフィールドを除いて表示画像を選択し、その選択された表示画像を画像信号として出力する表示画像選択部とを備える復号化装置であることを要旨とする。
【発明の効果】
【０００７】
本発明によれば、ビットストリームに含まれるリピートフィールドを優先して間引き処理することにより、ビットストリームから復号された映像の画質低下を抑制することが可能な映像復号化装置を提供できる。
【発明を実施するための最良の形態】
【０００８】
次に、図面を参照して、本発明の実施の形態を説明する。以下の図面の記載において、同一又は類似の部分には同一又は類似の符号を付している。又、以下に示す実施の形態は、この発明の技術的思想を具体化するための装置や方法を例示するものであって、この発明の技術的思想は、構成部品の構造、配置等を下記のものに特定するものでない。この発明の技術的思想は、特許請求の範囲において、種々の変更を加えることができる。
【０００９】
本発明の実施の形態に係る復号化装置は、図１に示すように、フレーム変換により生成されたビットストリームからリピートフィールドを除いて表示フィールド数を計算し、ビットストリームをデコードするデコード部２０と、デコードによって得られた複数の画像のうちからリピートフィールドを除いて表示画像を選択し、その選択された表示画像を画像信号として出力する表示画像選択部４０とを備える。例えば、デコード部２０は、フレーム変換により生成されたＭＰＥＧ２ビデオストリームをデコードしてフレームレート変換表示をする際又は特殊再生をする際に、デコードされた各ピクチャーの表示フィールド数を表示映像信号フォーマットのフィールド数単位で計算し、その際ビットストリームで指示されるリピートファーストフィールド／トップフィールドファーストはセットされていないものとして計算するが、デコード開始のタイミングを決めるために用いるデコーディングタイムスタンプ（ＤＴＳ）／プレゼンテーションタイムスタンプ（ＰＴＳ）を、ビットストリームで指示される映像信号フォーマット／リピートファーストフィールド／トップフィールドファーストを用いて計算する。又、表示画像選択部４０は、デコードによって得られた画像をリピートファーストフィールド／トップフィールドファーストによらずＤＴＳ／ＰＴＳの値を元に出力する。
【００１０】
図１に示す復号化装置は、更にＶＢＶバッファ１０、フレームメモリ３１〜３４、ＳＴＣカウンタ５０及び制御部６０を備える。ＶＢＶバッファ１０は、復号化装置に入力されたビットストリームＳＡを一時保存する。ＶＢＶバッファ１０にデコード部２０が接続される。デコード部２０は、ＶＢＶバッファ１０に保存されたビットストリームＳＡをデコードする。デコード部２０にフレームメモリ３１〜３４が接続される。フレームメモリ３１〜３４はデコード部２０によるデコードによって得られた画像を格納する。更に、フレームメモリ３１〜３４に表示画像選択部４０が接続される。表示画像選択部４０は、デコードされた画像の並び替えのために、フレームメモリ３１〜３４に格納された画像のうちから表示画像を選択する。ＶＢＶバッファ１０、デコード部２０及び表示画像選択部４０に制御部６０が接続される。制御部６０は復号化装置全体を制御する。又、デコード部２０、表示画像選択部４０及び制御部６０にＳＴＣカウンタ５０が接続され、図１に示す復号化装置はＳＴＣカウンタ５０により生成されるシステムタイムクロック（ＳＴＣ）に同期して動作する。
【００１１】
図１では、フレームメモリ３１〜３４が４個の例を示したが、フレームメモリの数が４個に限られないのは勿論である。復号化装置から出力された画像信号ＳＢは、図示を省略する画像表示装置に順次表示される。
【００１２】
ところで、ＮＴＳＣ信号は毎秒３０フレーム、つまり毎秒６０フィールドのインタレース信号である。一方、映画フィルム等のコンテンツ信号は毎秒２４フレームの信号である。したがって、コンテンツ信号をＮＴＳＣ信号に変換する場合、毎秒２４フレームのデータを毎秒６０フィールドのデータに変換する必要がある。そのため、コンテンツ信号をＮＴＳＣ信号に変換する際に、３：２プルダウン変換等のフレーム変換が行われる。前述したように、３：２プルダウン変換は、３フレームあたり２フレームの割合で１フレームのコンテンツ信号から３つのフィールドを生成することにより、フレームレートの違いを調整する方法である。
【００１３】
図２及び図３に、３：２プルダウン変換の例を示す。即ち、図２に示したコンテンツ信号の連続するフレームＣ１、Ｃ２、Ｃ３、Ｃ４、・・・・・が、図３に示したＮＴＳＣ信号の連続するフレームＮ１、Ｎ２、Ｎ３、Ｎ４、Ｎ５、・・・・・に変換される。具体的には、図２に示したように、フレームＣ１を第１フィールド１Ｔと第２フィールド１Ｂに分ける。同様に、フレームＣ２、Ｃ３、Ｃ４、・・・・・をそれぞれ第１フィールド２Ｔ、３Ｔ、４Ｔ、・・・・・と第２フィールド２Ｂ、３Ｂ、４Ｂ、・・・・・に分ける。そして、３フレーム当り２つのフレームの割合で、１つのフレームから３つのフィールドを生成する。１つのフレームから３つのフィールドを生成する場合、３つ目のフィールドは１つ目のフィールドと同じデータになる。このように、コンテンツ信号の１つのフレームから２度出力されるフィールドが先に述べたリピートフィールドである。
【００１４】
例えば、図３に示すように、フレームＣ１の第１フィールド１Ｔ及び第２フィールド１ＢからなるＮＴＳＣ信号のフレームＮ１が合成される。更に、フレームＣ１の第１フィールド１ＴとフレームＣ２の第２フィールド２ＢからフレームＮ２が合成される。つまり、コンテンツ信号のフレームＣ１の第１フィールド１Ｔをリピートフィールドとして、フレームＣ１からＮＴＳＣ信号の３つのフィールドが生成される。ＮＴＳＣ信号のフレームＮ３は、フレームＣ２の第１フィールド２ＴとフレームＣ３の第２フィールド３Ｂから合成される。そして、フレームＣ３の第１フィールド３ＴとフレームＣ３の第２フィールド３Ｂから、ＮＴＳＣ信号のフレームＮ４が合成される。つまり、フレームＣ３の第２フィールド３Ｂはリピートフィールドである。ＮＴＳＣ信号のフレームＮ５は、フレームＣ４の第１フィールド４ＴとフレームＣ４の第２フィールド４Ｂから合成される。既に述べたようにＮＴＳＣ信号はインタレース信号であり、上記のＮＴＳＣ信号の各フィールドの添え字「Ｔ」はトップフィールド、添え字「Ｂ」はボトムフィールドを示す。
【００１５】
以上に説明したように、３：２プルダウン変換により、４フレームのコンテンツ信号が５フレームのＮＴＳＣ信号に変換される。そして、最終的に毎秒２４フレームの信号が毎秒６０フィールドのデータに変換される。
【００１６】
３：２プルダウン変換によりリピートフィールドが生成された場合には、ビットストリームに、リピートフィールドの出力を指定する「リピートファーストフィールドフラグ」が含まれる。以下において、リピートファーストフィールドフラグ＝１の場合には、次にリピートフィールドを出力するものとする。例えば、リピートファーストフィールドフラグ＝０の場合に表示フィールド数が２に設定されるときは、リピートファーストフィールドフラグ＝１の場合に表示されるフィールド数は３に設定される。その結果、リピートファーストフィールドフラグ＝１に設定された出力済みのフィールドが、リピートフィールドとして再表示される。又、リピートフィールドがトップフィールドであるかボトムフィールドであるかは、「トップフィールドファーストフラグ」により指定される。例えば、トップフィールドファーストフラグ＝１のときは、リピートフィールドはトップフィールドとして表示される。
【００１７】
ところで、ＭＰＥＧシステム規格では、ビットストリームを再生する時刻（以下において、「タイムスタンプ」という。）情報が、オーディオ信号及びビデオ信号等の符号化の単位に付与される。符号化の単位は、例えばオーディオ信号の場合はオーディオフレーム、ビデオ信号の場合はピクチャである。タイムスタンプには、オーディオ信号及びビデオ信号の提示時刻を与えるプレゼンテーションタイムスタンプ（ＰＴＳ）と、デコード開始時刻を与えるデコーディングタイムスタンプ（ＤＴＳ）が定義されている。ただし、すべてのビットストリームにタイムスタンプが付与されてはいない。そのため、入力されたタイムスタンプに基づき、次のタイムスタンプが計算される。ＰＴＳとＤＴＳの基準時刻としてＳＴＣが使用される。
【００１８】
次に、図１に示した復号化装置によって、ビットストリームＳＡをデコードして画像信号ＳＢを出力する方法の例を、図４に示すフローチャートを用いて説明する。ここで、ビットストリームＳＡは３：２プルダウン変換されたＮＴＳＣ信号であり、リピートフィールドを含む。図１に示した復号化装置では、画像信号ＳＢの形式に対応したフィールド同期信号に同期して復号が行われる。そのため、画像信号ＳＢが毎秒５０フィールドのＰＡＬ信号の場合には、デコード開始時刻は１秒間に５０回である。一方、ＮＴＳＣ信号は毎秒６０フィールドの信号である。したがって、画像信号ＳＢがＰＡＬ信号の場合には、毎秒１０フィールドずつＮＴＳＣ信号のフィールドを表示せずに破棄する必要がある。以下に、ビットストリームＳＡがＮＴＳＣ信号、且つ画像信号ＳＢがＰＡＬ信号の場合について、図４に示したフローチャートを説明する。
【００１９】
（イ）ステップＳ１１において、デコード部２０がフィールド同期信号を待つＳＴＣを取得する。ステップＳ１２において、制御部６０が表示待ちフィールドがあるか否かを判断する。「表示待ちフィールド」は、表示済みのフィールドと同一フレームの未表示のフィールドである。例えば、同一フレームのトップフィールドがボトムフィールドより先に表示された場合は、ボトムフィールドが表示待ちフィールドである。ピクチャの表示を開始した場合には、次のフィールド同期信号で必ず表示待ちフィールドを表示する。そのため、表示待ちフィールドがある場合は、ステップＳ１３に進み、表示画像選択部４０が表示待ちフィールドをフレームメモリ３１〜３４から選択し、画像信号ＳＢとして出力する。一方、表示待ちフィールドがない場合は、ステップＳ１４に進む。
【００２０】
（ロ）ステップＳ１４において、制御部６０がデコード開始時刻を与えるＤＴＳとＳＴＣを比較する。ＤＴＳがＳＴＣより表示フィールドで例えば３フィールド以上早い場合には、ステップＳ１５に進む。そして、ステップＳ１５において、直前に表示されたデコード済みのフィールドが表示画像選択部４０によって選択される。即ち、表示画像選択部４０が、直前に表示された画像信号ＳＢを再度出力する。ＤＴＳがＳＴＣより表示フィールドで３フィールド以上早い場合以外は、ステップＳ１６に進む。
【００２１】
（ハ）ステップＳ１６において、制御部６０がＤＴＳとＳＴＣを比較する。ＤＴＳがＳＴＣより表示フィールドで２フィールド以上遅い場合には、ステップＳ１７に進む。上記以外の場合は、ステップＳ２１に進む。
【００２２】
（ニ）ステップＳ１７において、制御部６０がビットストリームＳＡのピクチャタイプを判断する。ここで、「ピクチャタイプ」とは、他のピクチャとは独立して符号化されるＩピクチャ、過去の画像から推定される信号であるＰピクチャ、Ｉピクチャ及びＰピクチャから内挿されるＢピクチャである。ピクチャタイプがＩピクチャの場合には、ステップＳ２１に進む。ピクチャタイプがＰピクチャ又はＢピクチャの場合には、ステップＳ１８に進む。
【００２３】
（ホ）ステップＳ１８において、制御部６０がビットストリームＳＡのピクチャタイプを判断する。ピクチャタイプがＢピクチャの場合には、ステップＳ１９に進み、Ｂピクチャを破棄してデコード部２０が次のＤＴＳを計算した後、ステップＳ１５に進む。ピクチャタイプがＢピクチャ以外、即ちＰピクチャの場合には、ステップＳ２０に進む。
【００２４】
（ヘ）ステップＳ２０において、制御部６０がＤＴＳとＳＴＣを比較する。ＤＴＳがＳＴＣより表示フィールドで３フィールド以上遅い場合には、ステップＳ１９に進み、Ｐピクチャを破棄してデコード部２０が次のＤＴＳを計算した後、ステップＳ１５に進む。つまり、ＤＴＳがＳＴＣより表示フィールドで３フィールド以上遅い場合は、Ｉピクチャが出てくるまで、Ｂピクチャ及びＰピクチャは破棄される。ＤＴＳがＳＴＣより表示フィールドで３フィールド以上遅い場合以外は、ステップＳ２１に進む。
【００２５】
（ト）ステップＳ２１において、次のＤＴＳが計算され、デコード部２０がビットストリームＳＡをデコードする。デコードによって得られた画像は、フレームメモリ３１〜３４に格納される。その後、ステップＳ２２に進む。
【００２６】
（チ）ステップＳ２２において、制御部６０がビットストリームＳＡと画像信号ＳＢの形式を判断する。ビットストリームＳＡがＮＴＳＣ信号であり、且つ画像信号ＳＢがＰＡＬ信号である場合には、ステップＳ２３に進む。上記以外の場合は、ステップＳ２４に進む。
【００２７】
（リ）ステップＳ２３において、デコード部２０がデコードしたピクチャの表示フィールド数を計算する。ただし、リピートファーストフィールドフラグ＝１の場合には、リピートファーストフィールドフラグ＝０とみなして、表示フィールド数が計算される。そして、例えば表示画像選択部４０が選択するフィールド数が２に設定される。その後、ステップＳ１３に進む。ステップＳ１３において、フレームメモリ３１〜３４に格納された画像から、リピートフィールドを除いて設定された表示フィールド数にあわせた数の表示画像が表示画像選択部４０によって選択され、画像信号ＳＢとして出力される。
【００２８】
（ヌ）一方、ステップＳ２４において、リピートファーストフィールドフラグを用いて、デコードしたピクチャの表示フィールド数が計算される。そして、例えば表示画像選択部４０が選択するフィールド数が３に設定される。その後、ステップＳ１３に進み、ステップＳ２４で計算された表示フィールド数にあわせた数の表示画像が表示画像選択部４０によって選択され、画像信号ＳＢとして出力される。つまり、リピートフィールが画像信号ＳＢとして出力される。
【００２９】
以上に説明したように、ステップＳ２３において、リピートフィールドファーストフラグ＝１の場合には、リピートファーストフィールドフラグ＝０とみなされる。つまり、リピートフィールドファーストフラグを無効にすることにより、リピートフィールドを除いて表示フィールド数がデコード部２０により計算される。上記の例では、ステップＳ２３において計算される表示フィールド数は２である。
【００３０】
そして、表示フィールド数＝２に基づいて、リピートフィールドを除いて表示画像選択部４０が表示画像を選択する。そのため、表示フィールド数＝３の場合には選択されるリピートフィールドが、図１に示した復号化装置では選択されない。つまり、表示画像選択部４０は、デコード部２０がデコードした複数の画像のうちから、リピートフィールドを除いて表示画像を選択して画像信号ＳＢとして出力する。
【００３１】
具体的には、ステップＳ２３で表示フィールド数＝２が計算された後、次のフィールド同期信号では表示待ちフィールドがあるため、ステップＳ１２において「ＹＥＳ」となり表示待ちフィールドが画像信号ＳＢとして出力される。しかし、更に次のフィールド同期信号ではステップＳ１２において「ＮＯ」となる。そして、ＤＴＳがＳＴＣより３フィールド以上早い場合以外では、ステップＳ１４からステップＳ１６を経由して、ステップＳ２１に進む。そのため、リピートフィールドは画像信号ＳＢとして出力されず、次のＤＴＳが計算され、デコードが実行される。つまり、リピートフィールドは間引きされる。
【００３２】
ＮＴＳＣ信号をＰＡＬ信号に変換するためには、毎秒１０フィールドずつＮＴＳＣ信号のフィールドを表示せずに破棄する必要がある。上記に説明したように、リピートフィールドを間引き処理によって表示しないフィールドにすることにより、復号後の画像信号ＳＢの画質の劣化を低減できる。つまり、ビットストリームＳＡからリピートフィールドを除いて表示フィールド数を計算することにより、図１に示した復号化装置はリピートフィールドが間引かれた画像信号ＳＢ出力する。その結果、３：２プルダウン変換される前のコンテンツ信号の原画フィールドの破棄を最低限に抑制することができる。
【００３３】
ただし、３：２プルダウン変換される前のコンテンツ信号は毎秒２４フレームの信号である。一方、ＰＡＬ信号は毎秒５０フィールドの信号である。したがって、すべてのリピートフィールドを間引きしてコンテンツ信号だけでＮＴＳＣ信号をＰＡＬ信号に変換することができない。図４に示したステップＳ１４において、ＤＴＳがＳＴＣより表示フィールドで３フィールド以上早い場合には、ステップＳ１５に進む。その結果、リピートフィールドが画像信号ＳＢとして出力される。そのため、毎秒５０フィールドのＰＡＬ信号を出力することができる。尚、上記の説明では、ＤＴＳがＳＴＣより３フィールド以上早い場合に、ステップＳ１５に進む例を示した。しかし、ＤＴＳがＳＴＣより何フィールド早い場合にステップＳ１５に進むかは、復号化装置の構成等に応じて設定することができる。
【００３４】
図４に示した復号化方法を実施した例を図５及び図６に示す。図５はＮＴＳＣ信号、図６は図５に示したＮＴＳＣ信号を図４に示した復号化方法によって復号されたＰＡＬ信号である。図５に示したＮＴＳＣ信号は、リピートフィールドとしてフィールド２Ｔ、４Ｂ、６Ｔ及び８Ｂを含むが、図６に示したＰＡＬ信号に含まれるリピートフィールドはフィールド２Ｔのみである。なお、図５及び図６において、リピートフィールドを括弧付きで示している。
【００３５】
３：２プルダウン変換によってフィールド構造が乱れた場合等に、ビットストリームＳＡにリピートフィールドが含まれない状態が続く場合がある。しかし、図４に示したフローチャートのステップＳ２１において、ビットストリームＳＡをそのまま用いてＤＴＳを計算することにより、インタレース映像の間引き処理に移行することができる。即ち、フローチャートのステップＳ１６〜Ｓ１９において、ＤＴＳがＳＴＣより表示フィールドで２フィールド以上遅く、且つピクチャタイプがＢピクチャの場合に、Ｂピクチャが破棄される。又、フローチャートのステップＳ２０及びステップＳ１９において、ＤＴＳがＳＴＣより表示フィールドで３フィールド以上遅く、且つピクチャタイプがＰピクチャの場合に、Ｐピクチャが破棄される。つまり、リピートフィールドが入力されない状態が続いた場合には、表示画像選択部４０によって選択されず、破棄するフィールドがフレーム単位で決定される。
【００３６】
更に、ビットストリームＳＡのピクチャタイプに基づき、表示画像選択部４０によって出力される画像信号ＳＢが選択される。上記に説明したように、先ず、破棄しても映像への影響が最も少ないＢピクチャが破棄され、次にＰピクチャが破棄される。その結果、破棄されるフィールドがリピートフィールドでない場合にも、映像の画質低下を抑制できる。
【００３７】
以上に説明したように、本発明の実施の形態に係る復号化装置では、ＤＴＳの計算ではビットストリームＳＡをそのまま用いるが、リピートファーストフィールドフラグ＝０として表示フィールド数を計算する。その結果、毎秒６０フィールドのＮＴＳＣ信号が、５０フィールド／秒のＰＡＬ信号にフレームレート変換されて表示される。フレームレート変換においては、表示されないフィールドとしてリピートフィールドが優先される。更に、リピートフィールドが入力されない状態が続いた場合にはフレーム単位にＮＴＳＣ信号の破棄を行うが、Ｂピクチャ、Ｐピクチャの順にフレームを破棄する。その結果、３：２プルダウン変換されたＮＴＳＣ信号から復号された映像の画質低下を抑制し、コンテンツ信号のフレームの破棄の少ない滑らかな再生映像を表示することができる。
【００３８】
＜変形例＞
本発明の第１の実施の形態の変形例に係る復号化方法を説明するフローチャートを図７に示す。図７に示したフローチャートは、ビットストリームＳＡに対する間引き処理を行うことによって、ビットストリームＳＡを早送り再生した画像信号として画像信号ＳＢを出力する場合の復号化方法を示す。ここで、ビットストリームＳＡは３：２プルダウン変換されたＮＴＳＣ信号である。
【００３９】
既に説明したように、図４に示したフローチャートのステップＳ２２において、制御部６０がビットストリームＳＡと画像信号ＳＢの形式を判断する。一方、図７に示したフローチャートのステップＳ２２１においては、早送り再生か否かかを制御部６０が判断する。他は、図７に示したフローチャートは、図４に示したフローチャートと同様である。つまり、早送り再生の場合は、ステップＳ２３において、リピートファーストフィールドフラグ＝１の場合に、リピートファーストフィールドフラグ＝０とみなして、デコードしたピクチャの表示フィールド数を計算する。一方、早送り再生ではない場合は、ステップＳ２４において、リピートファーストフィールドフラグ＝１として、表示フィールド数を計算する。
【００４０】
リピートフィールドを間引いて表示することにより、早送り再生の場合においても、１．２５倍（６０フィールド／秒を４８フィールド／秒にして表示する）までは、コンテンツ信号に含まれる信号を破棄することなく表示することが可能である。又、１．２５倍以上の早送り再生の場合に図７に示した復号化方法を採用すれば、リピートフィールドを間引いた上で更にフィールドの間引き処理をすることにより、コンテンツ信号のフィールドの破棄を抑制することができる。その結果、早送り再生における画質の低下を抑えることができる。
【００４１】
上記のように、本発明は実施の形態によって記載したが、この開示の一部をなす論述及び図面はこの発明を限定するものであると理解すべきではない。この開示から当業者には様々な代替実施の形態、実施例及び運用技術が明らかとなろう。本発明はここでは記載していない様々な実施の形態等を含むことは勿論である。したがって、本発明の技術的範囲は上記の説明から妥当な特許請求の範囲に係る発明特定事項によってのみ定められるものである。
【図面の簡単な説明】
【００４２】
【図１】本発明の実施の形態に係る復号化装置の構成を示す模式図である。
【図２】３：２プルダウン変換の方法を説明するためコンテンツ信号の例を示すの模式図である。
【図３】図２のコンテンツ信号を３：２プルダウン変換により変換したＮＴＳＣ信号の例を示す模式図である。
【図４】本発明の実施の形態に係る復号化方法を説明するためのフローチャートである。
【図５】本発明の実施の形態に係る復号化方法を説明するためのＮＴＳＣ信号の例を示す模式図である。
【図６】本発明の実施の形態に係る復号化方法によって、図５のＮＴＳＣ信号から復号されたＰＡＬ信号の例を示す模式図である。
【図７】本発明の実施の形態の変形例に係る復号化方法を説明するためのフローチャートである。
【符号の説明】
【００４３】
１０…ＶＢＶバッファ
２０…デコード部
３１〜３４…フレームメモリ
４０…表示画像選択部
５０…ＳＴＣカウンタ
６０…制御部
【図１】
2006339857.tif 000003
【図２】
2006339857.tif 000004
【図３】
2006339857.tif 000005
【図４】
2006339857.tif 000006
【図５】
2006339857.tif 000007
【図６】
2006339857.tif 000008
【図７】
2006339857.tif 000009